(57)【特許請求の範囲】
【請求項１】
原稿搬送用の各種ローラを取付ける穴部を有し、上面で原稿を搬送し、かつ裏面に前記穴部を介して外部から入る光を遮断する壁または覆いを設けた搬送ガイドと、前記搬送ガイドの壁に対応させた上面外周形状を持ち、上部が空いた状態で前記搬送ガイドが直接取付けられる光学ユニットと、を具備し、前記搬送ガイドのローラを取り付ける穴部から入る光を遮蔽する覆いに、ＬＥＤを取り付けるためのブラケットを一体に設けていることを特徴とする画像読取装置。
【請求項２】
前記搬送ガイドは、第１のローラを取付けるために上面の一方の端領域に設けられた第１の穴部および第２のローラを取付けるために他方の端領域に設けられた第２の穴部を介して外部から入る光を遮断する第１の壁および第２の壁と、前記第１の穴部と第２の穴部との間に設けられた第３のローラを取付ける穴部を介して外部から入る光を遮断する覆いと、を有し、一方、前記光学ユニットは、前記第１の壁および第２の壁にそれぞれ結合するように前記上面外周形状を形成していることを特徴とする請求項１に記載の画像読取装置。
【請求項３】
前記搬送ガイドは、裏面に一体形成された、前記ローラの軸を貫通させるとともに前記ローラの軸を保持する開口部を持ったホールド部材と、前記ローラの軸を前記ホールド部材の中に貫通させた状態で前記ローラの軸を保持しつつ前記ホールド部材に嵌合する軸受け部材と、を具備していることを特徴とする請求項１または請求項２に記載の画像読取装置。
【請求項４】
前記軸受け部材は、前記ホールド部材に対して取付け方向手前側において嵌合することを特徴とする請求項３に記載の画像読取装置。
【請求項５】
前記ホールド部材は、開口部は円形状である一方外周部は平面部を有した形状をし、一方、前記軸受け部材は、前記ローラの軸を回転自在に保持する保持穴を持つ円筒部と、この円筒部の外側に平面形状により形成された前記ホールド部材との嵌合部分とを有する、ことを特徴とする請求項３または請求項４に記載の画像読取装置。
【請求項６】
前記軸受け部材は、嵌合部分と、前記ローラ軸を回転自在に保持する保持穴を持つ円筒部と、を有し、前記嵌合部分は前記ホールド部材に嵌合するように開口しており、かつ前記嵌合部分の一部は前記円筒部と一体形成されていることを特徴とする請求項３または請求項４に記載の画像読取装置。
【請求項７】
原稿搬送用の各種ローラを取付ける穴部を有し、上面で原稿を搬送し、かつ裏面で光学ユニット上部を覆うように設置され、裏面に一体形成され前記ローラの軸を貫通させるとともに前記ローラの軸を保持する開口部を持ったホールド部材と、前記ローラの軸を前記ホールド部材の中に貫通させた状態で前記ローラの軸を保持しつつ前記ホールド部材に嵌合する軸受け部材とを有する搬送ガイドを具備し、この搬送ガイドは、まず前記ローラの軸を前記搬送ガイドの裏面に設けられたホールド部材の開口部に貫通させ、次に前記ローラの外側から前記ローラの軸を保持した状態で前記軸受け部材を前記ホールド部材に嵌合させることにより、前記ローラを回転自在に保持することを特徴とする画像読取装置。
【請求項８】
請求項１から請求項７のいずれかに記載の画像読取装置を具備している電気機器。
【発明の詳細な説明】
【０００１】
【発明の属する技術分野】
本発明は、原稿の搬送ガイドと光学ユニットとの取付け構造の改良により装置の小型化を図った画像読取装置および電気機器に関する。
【０００２】
【従来の技術】
従来、この種の画像読取装置では、光学ユニットの上蓋は原稿の搬送ガイドとは別個の部材で構成されていた。これは、光学ユニットを完全に覆うことによって、読み取りの際に障害をきたす可能性のある外光やゴミ等が光学ユニット内部に入り込むのを遮断するためである。このようにして、画像読取装置の読み取り能力が低下することが防止されていた。
【０００３】
【発明が解決しようとする課題】
しかし、従来の画像読取装置では、光学ユニットの上蓋を原稿の搬送ガイドとは別個の部材で構成していたため、装置を小型化する際に障害になっていた。一方、装置の小型化のために、光学ユニットの上蓋を搬送ガイドで兼用すると、搬送ガイドには、給紙ローラおよび搬送ロ―ラを保持するための穴が複数箇所に存在するため、これらの穴から不要な外光やゴミ等が光学ユニットの中に進入し、読み取りに悪影響を与える可能性があった。
【０００４】
本発明はかかる点に鑑みてなされたものであり、光学ユニットの上蓋を搬送ガイドで兼用し、さらに、このように光学ユニットの上蓋を搬送ガイドで兼用した場合でも、不要な外光やゴミ等が光学ユニットの中に進入を防止することにより、画像読取装置の読取能力を低下するのを防止することを目的とする。
【０００５】
【課題を解決するための手段】
原稿搬送用の各種ローラを取付ける穴部を有し、上面で原稿を搬送し、かつ裏面に穴部を介して外部から入る光を遮断する壁または覆いを設けた搬送ガイドと、搬送ガイドの壁に対応させた上面外周形状を持ち、搬送ガイドに上面が空いた状態で直接取付けられる光学ユニットとを、具備するようにした。
【０００６】
このような搬送ガイドを光学ユニットの上蓋にすることにより画像処理装置の小型化を図るとともに、光学ユニットの上蓋を搬送ガイドで兼用した場合でも、不要な外光やゴミ等が光学ユニットの中に進入が防止されるため、画像読取装置が画像を読取る際に悪影響が生じるのを防止できる。
【０００７】
【発明の実施の形態】
本発明の第１の態様にかかる画像読取装置は、原稿搬送用の各種ローラを取付ける穴部を有し、上面で原稿を搬送し、かつ裏面に前記穴部を介して外部から入る光を遮断する壁または覆いを設けた搬送ガイドと、搬送ガイドの壁に対応させた上面外周形状を持ち、上部が空いた状態で搬送ガイドが直接取付けられる光学ユニットと、を具備し、搬送ガイドのローラを取り付ける穴部から入る光を遮蔽する覆いに、ＬＥＤを取り付けるためのブラケットが一体に設けられている。
【０００８】
上記構成により、搬送ガイドを光学ユニットの上蓋として兼用するので、画像読取装置の小型化を図れることができる。
【０００９】
また、搬送ガイドに各種ローラを保持する搬送ガイドの穴部から進入する外光の入射やゴミを遮断する壁や覆いを設けて、この搬送ガイドを搬送ガイドの壁に対応させた上面外周形状を持つ光学ユニットの上蓋として兼用したので、光学ユニット内に外光やゴミなどが進入することを防げ、かつ画像読取装置の読取能力を低下させることなく装置の小型化を図ることができる。
【００１０】
さらに、搬送ガイド裏面を光学ユニットの上蓋として兼用する際には、搬送ガイドと光学ユニットとの間が空洞となるためＬＥＤと取りつけるブラケットを取りつける場所が制限されるが、上記構成にすることにより、光を遮断する覆いとＬＥＤを取付けるブラケットを一体としたので、ＬＥＤを適切な場所に取付けることが可能となる。
【００１１】
本発明の第２の態様は、第１の態様にかかる画像読取装置において、搬送ガイドは、第１のローラを取付けるために上面の一方の端領域に設けられた第１の穴部および第２のローラを取付けるために他方の端領域に設けられた第２の穴部を介して外部から入る光を遮断する第１の壁および第２の壁と、第１の穴部と第２の穴部との間に設けられた第３のローラを取付ける穴部を介して入る光を遮断する覆いと、を有し、一方、光学ユニットは、第１の壁および第２の壁にそれぞれ結合するように上面外周形状を形成している。
【００１２】
このような位置関係で、搬送ガイドおよび光学ユニットに壁を設け、また、搬送ガイドに覆いを設けることにより、原稿搬送用の各種ローラが３個存在する場合でも、画像読取装置の読取能力の低下を効率的に防ぎ、かつ画像読取装置の小型化も効率的に図ることができる。
【００１５】
本発明の第３の態様は、第１の態様または第２の態様にかかる画像読取装置において、搬送ガイドは、裏面に一体形成された、ローラの軸を貫通させるとともにローラの軸を保持する開口部を持ったホールド部材と、ローラの軸をホールド部材の中に貫通させた状態でローラの軸を保持しつつホールド部材に嵌合する軸受け部材と、を具備している。
【００１６】
これにより、搬送ガイドの裏面に壁や覆いをはり巡らしたために、各種ローラを取付けにくい構造となっても、各種ローラを搬送ガイドに取付ける作業を容易に行うことができる。
【００１７】
本発明の第４の態様は、第３の態様にかかる画像読取装置において、軸受け部材は、前記ホールド部材に対して取付け方向手前側において嵌合するようになされている。
【００１８】
このように構成することにより、軸受け部材は、前記ホールド部材に対して取付け方向手前側において嵌合するので、操作者から見て最も手前側において目視しながら軸受け部材をホールド部材に取付ける作業をすることができるので、取付け作業が効率的になされる。
【００１９】
本発明の第５の態様は、第３の態様または第４の態様にかかる画像読取装置において、前記ホールド部材は、開口部は円形状である一方外周部は平面部を有した形状をし、一方、前記軸受け部材は、前記ローラの軸を回転自在に保持する保持穴を持つ円筒部と、この円筒部の外側に平面形状により形成された前記ホールド部材との嵌合部分とを有している。
【００２０】
上記構成により、前記ホールド部材の外周部は平面形状をしており、一方、前記軸受け部材も外側は平面形状により形成されているので、前記軸受け部材が円筒部を有していても、前記軸受け部材を前記ホールド部材に嵌合する際に前記軸受け部材が回ることなく安定して前記ホールド部材に挿入されるので、前記軸受け部材を前記ホールド部材に嵌合する作業をスムーズに行うことができる。
【００２１】
本発明の第６の態様は、第３の態様または第４の態様にかかる画像読取装置において、軸受け部材は嵌合部分と、ローラ軸を回転自在に保持する保持穴を持つ円筒部と、を有し、嵌合部分はホールド部材に嵌合するように開口しており、かつ嵌合部分の一部は円筒部と一体形成されている。
【００２２】
このように構成することにより、ローラ軸自体には、何ら加工を施すことなく、ローラ軸を保持できる。また、軸受け部材は一個の部材によって、ローラ軸の保持とホールド部材への嵌合とを、一体で行えるので、操作者は画像読取装置の組立作業を簡易かつ効率的に行うことができる。
【００２３】
本発明の第７の態様にかかる画像読取装置は、原稿搬送用の各種ローラを取付ける穴部を有し、上面で原稿を搬送し、かつ裏面で光学ユニット上部を覆うように設置され、裏面に一体形成され前記ローラの軸を貫通させるとともに前記ローラの軸を保持する開口部を持ったホールド部材と、前記ローラの軸を前記ホールド部材の中に貫通させた状態で前記ローラの軸を保持しつつ前記ホールド部材に嵌合する軸受け部材とを有する搬送ガイドを具備し、この搬送ガイドは、まず前記ローラの軸を前記搬送ガイドの裏面に設けられたホールド部材の開口部に貫通させ、次に前記ローラの外側から前記ローラの軸を保持した状態で前記軸受け部材を前記ホールド部材に嵌合させることにより、前記ローラを回転自在に保持するものである。
【００２４】
上記構成により、軸受け部材は、まず、ローラ軸をホールド部材の中に貫通した状態でローラーの軸に外側からローラの軸に嵌込まれる。次に、この軸受け部材はローラの軸に沿って内側へ移動させられる。この後、軸受け部材はホールド部材に到達し、外側からホールド部材に嵌合される。よって、軸受け部材の取付け方向が、常にローラの軸の外側から内側へと一方向になるため、装置の組み立てが容易になる。
【００２５】
本発明の第８の態様にかかる電気機器は、第１の態様から第７の態様のいずれかに記載の画像読取装置を具備している。
【００２６】
このような画像読取装置を具備することにより、電気機器は、光学ユニットの上蓋を搬送ガイドで兼用できるので、装置の小型化を図ることができる。また、光学ユニットの上蓋を搬送ガイドで兼用した場合でも、不要な外光やゴミ等が光学ユニットの中に進入を防止することにより、読取能力の低下を防止できる。
【００２７】
以下、本発明の実施の形態について、図面を参照して詳細に説明する。
【００２８】
図１は、本発明の実施の形態に係る電気機器の構成を説明するための本実施の形態に係る電気機器の断面図である。
【００２９】
電気機器１０１の後方部上面には、原稿を載置するための原稿台１０２が設けられている。原稿台１０２には、載置された原稿を整えるための原稿セットガイド１０３が設けられているため、原稿は真っ直ぐに電気機器１０１に備えられた画像読取装置１０４の内部に送り込まれる。また、原稿台１０２の後方には、原稿のサイズが大きい場合などに、原稿台１０２の補助的役割をする原稿トレイ１０５が設けられている。
【００３０】
原稿台１０２に載置された原稿は矢印Ａの方向に動かされ、給紙口１０６より電気機器１０１の画像読取装置１０４の内部に送り込まれる。画像読取装置１０４の内部に入った原稿は、画像読取装置１０４の内部に設けられた搬送ガイド１０７の上面の原稿走行部１０８に送られる。原稿走行部１０８に送られた原稿は搬送ガイド１０７に設けられた給紙ローラ１０９により、さらに画像読取装置１０４の内部に送られ、搬送ガイド１０７に設けられた原稿搬送ローラ１１０に到達する。原稿搬送ローラ１１０に到達した原稿は、原稿搬送ローラにより、原稿排出ローラ１１１に送られ、原稿排出ローラ１１１により画像読取装置１０４の外部に排出される。
【００３１】
また、画像読取装置１０４の上面部にはカバー１１２が設けられており、カバー１１２は一端を固定され、この固定された部分を軸に先端が上下に回動可能に形成されている。カバー１１２の上面部には、操作部と、操作内容などを表示する表示部とが設けられている。カバー１１２の下部であって、原稿搬送ローラ１１０と対向する位置には原稿搬送補助ローラ１１３が、原稿排出ローラ１１１と対向する位置には原稿排出補助ローラ１１４が設けられている。このため、原稿が原稿走行部１０８をスムーズに送られるようになされている。
【００３２】
さらに、画像読取装置１０４の下部には、原稿の画像を読み取るための装置が備えられた光学ユニット１１５が設けられている。
【００３３】
図２は、上記実施の形態の搬送ガイドおよび光学ユニットの構成および動作を説明するための上記実施の形態の搬送ガイドおよび光学ユニットの拡大断面図である。
【００３４】
原稿搬送ローラ１１０に到達した原稿は、原稿搬送ローラ１１０により、原稿走行部１０８に設けられたガラス部材２０１の上に送られる。ガラス部材２０１の下方の近接する位置には、光線を発するＬＥＤ２０２がブラケット２０３により搬送ガイド１０７の下面に取付けられている。
【００３５】
図のように、ＬＥＤ２０２により、ガラス部材２０１上に載置された原稿の下面に光線が当てられる。この光線は原稿の下面で反射する。この反射した光線２０４は、ガラス部材２０１の下方に設けられた第１のミラー２０５に到達し、第１のミラー２０５で反射する。第１のミラー２０５で反射した光線２０６は、第２のミラー２０７に到達し、第２のミラー２０７で反射する。反射した光線２０８は、第３のミラー２０９に到達し、第３のミラー２０９で反射する。第３のミラー２０９で反射した光線２１０は、レンズ２１１によって光線の広がりを絞られ、光電変換ユニット２１２に到達し、光電変換ユニット２１２で光電変換される。これによって、光強度に応じた電気信号が出力される。
【００３６】
また、搬送ガイド１０７の裏面の給紙ローラ１０９の近傍であって、給紙ローラ１０９と原稿搬送ローラ１１０の間の位置には、給紙ローラ１０９を取付ける穴などから入る光やゴミなどを遮断する壁２１３が設けられている。さらに、搬送ガイド１０７の裏面の原稿排出ローラ１１１の近傍であって、原稿排出ローラ１１１とＬＥＤ２０２の間の位置には原稿排出ローラ１１１を取付ける穴などから入る光やゴミなどを遮断する壁２１４が設けられている。さらにまた、搬送ガイド１０７の裏面の給紙ローラ１０９と原稿排出ローラ１１１の間の位置で原稿搬送ローラ１１０の近傍の位置には、原稿搬送ローラ１１０を取付ける穴などから入る光やゴミなどを遮断する覆い２１５が、原稿搬送ローラ１１０を覆うように設けられている。なお、原稿搬送ローラ１１０に設けられた覆い２１５には、ＬＥＤ２０２のブラケット２０３が一体形成されている。
【００３７】
一方、光学ユニット１１５の上面であって壁２１３に対応する位置には、給紙ローラ１０９を取付ける穴などから入る光やゴミなどを遮断する壁２１６が設けられている。また、光学ユニット１１５の上面であって壁２１４に対応する位置には、原稿排出ローラ１１１を取付ける穴などから入る光やゴミなどを遮断する壁２１７が設けられている。
【００３８】
また、壁２１３の先の部分と壁２１６の先の部分は、図のように、光学ユニット１１５に対して交差するようになっている。同様に、壁２１４の先の部分と壁２１７の先の部分も、図のように、光学ユニット１１５に対して交差するようになっている。このため、給紙ローラ１０９および原稿排出ローラ１１１を取付ける穴などから入る光やゴミなどを遮断する効果が高まるようになされている。
【００３９】
一方、原稿搬送ローラ１１０を取付ける穴などから入る光やゴミなどを遮断する覆い２１５には、ＬＥＤ２０２を取付けるためのブラケット２０３が一体に形成されている。
【００４０】
このようにすることにより、搬送ガイド１０７の裏面を光学ユニット１１５の上蓋として兼用することにより、搬送ガイド１０７の裏面と光学ユニット１１５との間が空洞となって、ＬＥＤ２０２を取付けるブラケット２０３を固定する台が読取位置近傍に存在せず取付け位置が制限される場合であっても、原稿搬送ローラ１１０の覆い２１５にＬＥＤ２０２のブラケット２０３を一体形成したので、ＬＥＤ２０２を取付けるブラケット２０３を読取位置近傍の適切な場所に取付けることが可能になる。
【００４１】
図３は、上記実施の形態の搬送ガイドおよび光学ユニットおよび搬送ローラおよびＬＥＤを取付けるためのブラケットの位置関係を説明するための搬送ガイドおよび光学ユニットの分解斜視図である。
【００４２】
この図から明らかなように、搬送ガイド１０７には、開口部３０１，３０２，３０３が設けられている。開口部３０１，３０２，３０３の下方には、それぞれ給紙ローラ１０９、原稿搬送ローラ１１０、原稿排出ローラ１１１が設置され、開口部３０１，３０２，３０３から各種ローラのローラ部分が搬送ガイドの上面に出るようになっている。
【００４３】
また、原稿搬送ローラ１１０には軸３０４が設けられている。この軸３０４には、軸３０４を保持しつつ搬送ガイド１０７に取付けるための軸受け部材３０５が取付けられるようになっている。この軸受け部材３０５は、原稿搬送ローラ１１０の端部および中間部に取付けられるようになされている。ここでは、原稿搬送ローラ１１０について説明したが、原稿排出ローラ１１１にも同じように軸があり、軸受け部材３０５が取付けられるようになされている。
【００４４】
原稿搬送ローラ１１０が搬送ガイド１０７に取付けられた後、この原稿搬送ローラ１１０を覆うように、覆い２１５が搬送ガイド１０７の裏面に取付けられる。前述したように、覆い２１５にはＬＥＤ２０２を取付けるためのブラケット２０３が一体に形成されている。よって、操作者は、ＬＥＤ２０２をブラケット２０３に取付けた状態で覆い２１５を搬送ガイド１０７に取付けることで、ＬＥＤ２０２を搬送ガイド１０７に取付けることができる。
【００４５】
一方、光学ユニット１１５の上面の外周部には壁２１６，２１７が設けられている。この壁２１６，２１７により、光学ユニット１１５は外部からの光やゴミが入るのを防いでいる。
【００４６】
図４および図５は、上記実施の形態の搬送ガイドを裏面からみた斜視図である。これらの、図を使用して、上記実施の形態の搬送ガイドに上記実施の形態の原稿搬送ローラおよび原稿排出ローラがどのように取付けられるかを説明する。
【００４７】
図からもわかるように、搬送ガイド１０７の側部には給紙ローラ１０９を取付けるための穴４０１、原稿搬送ローラ１１０を取付けるための穴４０２、および原稿排出ローラ１１１を取付けるための穴４０３が設けられている。
【００４８】
また、図からも明らかなように、搬送ガイド１０７裏面であって、穴４０１および給紙ローラ１０９の取付位置よりも中央側の位置に壁２１３が設けられている。また、搬送ガイド１０７裏面であって、穴４０３および原稿排出ローラ１１１の取付位置よりも中央側の位置に壁２１４が設けられている。このような位置に、壁２１３、および壁２１４が設けられているため、壁２１３，２１４により穴４０１，４０３、および開口部３０１、３０３から入る光やゴミを遮断するようになされている。
【００４９】
まず、原稿搬送ローラ１１０がどのように搬送ガイド１０７に取付けられるか説明する。搬送ガイド１０７の裏面には原稿搬送ローラ１１０の軸３０４を貫通させて保持するための開口部を有するホールド部材４０４，４０５が設けられている。ホールド部材４０４は、搬送ガイド１０７の裏面の中央付近に設けられており、軸３０４の一端部を保持し、ホールド部材４０５は、搬送ガイド１０７の裏面の端部付近に設けられており、軸３０４のもう一端部を保持する。原稿搬送ローラ１１０の軸３０４をホールド部材４０４，４０５に貫通させることにより、原稿搬送ローラ１１０の軸３０４の軸方向に対して横方向の動きは、ホールド部材４０４，４０５により規制される。
【００５０】
このホールド部材４０４，４０５の開口部に原稿搬送ローラ１１０の軸３０４を貫通させた状態で、軸受け部材３０５を矢印ａの方向に原稿搬出ローラ１１０の軸３０４の外側から嵌込る。こうすることにより、軸受け部材３０５は原稿搬送ローラ１１０の軸３０４を保持した状態でホールド部材４０４，４０５に嵌合する。この状態で、原稿搬送ローラ１１０の軸３０４に沿った方向への動きが規制される。
【００５１】
このとき、ホールド部材４０４，４０５の搬送ガイド１０７の裏面から見て取付方向の手前側に設けられた軸受け部材３０５を係止するための突起４０６，４０７が、軸受け部材３０５の上部に設けられた開口部に入り込む。これによって、軸受け部材３０５がホールド部材４０４，４０５から抜けることが防止されるようになされている。図５に示す状態がこの状態である。
【００５２】
また、搬送ガイド１０７の裏面のホールド部材４０４，４０５の近傍であっての原稿搬送ローラ１１０の軸３０４に沿った位置で、かつ軸３０４の先端側の位置には軸受け部材３０５がホールド部材４０４，４０５に嵌合しやすいように設けられたガイド部４０８，４０９が設けられている。ガイド部４０８，４０９の上部の形状は、軸受け部材３０５の下部の形状に適合した形状になされている。このため、軸受け部材３０５がホールド部材４０４，４０５にスムーズに、かつ正確に嵌合するようになされている。
【００５３】
次に、原稿排出ローラ１１１がどのように搬送ガイド１０７に取付けられるか説明する。搬送ガイド１０７の裏面には原稿排出ローラ１１１の軸４１０を貫通させて保持するためのホールド部材４１１、４１２が設けられている。また、ホールド部材４１１，４１２の搬送ガイド１０７の裏面から見た取付方向の手前側に設けられた軸受け部材３０５を係止するための突起４１３，４１４が設けられている。さらに、搬送ガイド１０７の裏面のホールド部材４１１，４１２の近傍であって、原稿排出ローラ１１１の軸４１０に沿った位置で、かつ軸４１０の先端側の位置には軸受け部材３０５がホールド部材４１１，４１２に嵌合しやすいように軸受け部材３０５の下部の形状に対応した形状になされたガイド部４１５が設けられている。
【００５４】
原稿排出ローラ１１１が搬送ガイド１０７に取付けられる工程については、原稿搬送ローラ１１０が搬送ガイド１０７に取付けられる工程と同じなので説明を省略する。図４、図５が示す状態は、原稿排出ローラ１１１の原稿ガイド１０７への取付け作業が完了した状態を示している。
【００５５】
さらに、搬送ガイド１０７の裏面であって、原稿搬送ローラー１１０の近傍の位置で、かつ壁２１３と壁２１４の間の位置には、覆い２１５を搬送ガイド１０７に取付けるための固定具を挿入するための一対の挿入穴４１６，４１７と、覆い２１５を搬送ガイド１０７に取付けるための一対の突起４１８，４１９が設けられている。
【００５６】
以上説明したように、搬送ガイド１０７の裏面は、本来であれば何らの障壁がないためローラ軸の取付けをネジ止めにより行っても作業上の問題はないが、本発明では遮光のための壁２１３，２１４および覆い２１５を追加したので、原稿搬送ローラ１１０の軸３０４および原稿排出ローラ１１１の軸４１０を固定する作業スペースが狭くなっている。このため、ネジ止めによる取付けだと、指が入りづらいため所定の位置にネジを挿入する作業やネジが落ちたときにそのネジを探す作業が大変困難となり、作業効率が大幅に低下する。そこで、本発明では、軸受け部材３０５をホールド部材４０４，４０５，４１１，４１２に嵌合する組立方法を採用し、ドライバーなどの工具を使わずにワンタッチで固定するようにしたので、極めて作業性が高い。
【００５７】
図６は、上記実施の形態の搬送ガイドに覆いがどのように取付けられているか説明するための、上記実施の形態の搬送ガイドに覆いが取付けられた状態の裏面図である。
【００５８】
この図からもわかるように、原稿搬送ローラ１１０は覆い２１５によって、完全に覆われている。このため、原稿搬送ローラ１１０を取付けるための穴４０２、開口部３０２から入る光やゴミが、覆い２１５により光学ユニット１１５の内部に入ることを完全に防止している。
【００５９】
また、覆い２１５には固定具を挿入するための一対の穴６０１，６０２が設けられている。この穴６０１，６０２を介して、搬送ガイド１０７の裏面に設けられた挿入穴４１６，４１７に固定具を挿入することにより、覆い２１５は搬送ガイド１０７に取付けられる。さらに、覆い２１５には、搬送ガイド１０７の裏面に設けられた一対の突起４１８，４１９が挿入される一対の穴６０３，６０４が設けられている。この穴６０３，６０４に突起４１８，４１９が入り込むことにより、覆い２１５は搬送ガイド１０７により確実に保持される。
【００６０】
図７（ａ）は、上記実施の形態の軸受け部材を説明するための上記実施の形態の軸受け部材の平面図である。図７（ｂ）は、上記実施の形態の軸受け部材を説明するための上記実施の形態の軸受け部材の正面図である。図７（ｃ）は、上記実施の形態の軸受け部材を説明するための上記実施の形態の軸受け部材の側面図である。
【００６１】
軸受け部材３０５には、各種ローラ１０９，１１０，１１１の軸を保持する円筒部７０１が設けられている。円筒部７０１には、軸３０４，４１０を貫通させることによって保持する保持穴７０２が設けられている。保持穴７０２の形状と軸３０４，４１０の軸の形状は適合するようになされている。
【００６２】
軸受け部材３０５の上部には、ホールド部材４０４，４０５，４１１，４１２に嵌合する嵌合部７０３が設けられている。この嵌合部７０３には、ホールド部材４０４，４０５，４１１，４１２の突起４０６，４０７，４１３，４１４が嵌合するように開口している開口部７０４が設けられている。また、円筒部７０１と嵌合部７０３は連結部７０５を介して一体形成されている。連結部７０５は軸受け部材３０５の挿入方向に沿った方向に弾性力を持つようになされているため、嵌合部７０３は上下方向に弾性的に動くようになされている。
【００６３】
また、軸受け部材３０５の円筒部７０１は円筒形状であるが、軸受け部材３０５の外周を形成する嵌合部７０３は平面形状により形成されている。これに対応するホールド部材４０４、４０５、４１１、４１２の領域および軸受け部材３０５の底面も平面形状に形成されている。これにより、軸受け部材３０５をホールド部材４０４、４０５、４１１、４１２に挿入する際、円筒部７０１の円筒形状によって軸受け部材３０５が回転し、挿入しづらくなるという不都合を回避している。
【００６４】
図８、図９および図１０は、上記実施の形態の搬送ガイドに各種ローラが取付けられる工程を説明するための、上記実施の形態の原稿ガイドのホールド部材近傍の拡大斜視図である。これらの図を使用して、上記実施の形態の搬送ガイドに各種ローラを取付ける動作を詳細に説明する。なお、図８に示すＢの部分、図９に示すＣの部分、図１０に示すＤの部分は、図４に示すＡの部分に相当する部分の拡大斜視図である。
【００６５】
まず、原稿搬送ローラ１１０の軸３０４の一端部をホールド部材４０４の開口部に貫通させる。このように、ホールド部材４０４に原稿搬送ローラ１１０の軸３０４を貫通させることにより、原稿搬送ローラ１１０の軸３０４の軸方向に対して横方向の動きは、ホールド部材４０４により規制される。
【００６６】
次に、軸受け部材３０５は矢印８０１のように動かされ、ガイド部４０８上に配置される。図８はこの一連の動作を示した図である。
【００６７】
また、軸受け部材３０５の下部の形状がガイド部４０８の内部の形状に適合する形状になされている。このため、操作者は、軸受け部材３０５をホールド部材４０４にスムーズに嵌合できる。また、操作者が軸受け部材３０５の向きを間違えて設置することも防止される。
【００６８】
つづいて、ガイド部４０８に設置された軸受け部材３０５を矢印９０１の方向に動かし、原稿搬送ローラ１１０の軸３０４に軸受け部材３０５の円筒部７０１に設けられた保持穴７０２が嵌合するようにする。図９はこの動作を説明した図である。
【００６９】
また、保持穴７０２の形状と軸３０４の軸の形状は適合するようになされているため、軸３０４はしっかり軸受け部材３０５に保持される。
【００７０】
さらに、軸受け部材３０５をガイド部４０８に設置された軸受け部材３０５を矢印９０１の方向に動かすと、ホールド部材４０４に設けられた突起４０６に軸受け部材３０５の嵌合部７０３に設けられた開口部７０４が嵌合する。これによって、軸受け部材３０５はホールド部材４０４に保持される。この状態で、原稿搬送ローラ１１０の軸３０４に沿った方向への動きが規制される。
【００７１】
また、嵌合部７０３は上下に動くように弾力性を持っているので、突起４０６が開口部７０４に嵌合した後、嵌合部７０３が下方に動き。このため、突起４０６が確実に開口部７０４に入り、嵌合後は突起４０６が開口部７０４から抜けることが防止される。
【００７２】
この際、上述したように、軸受け部材３０５の外周を形成する嵌合部７０３は平面形状により形成されている。一方、これに対応するホールド部材４０４、４０５、４１１、４１２の領域も平面形状に形成されている。これにより、軸受け部材３０５をホールド部材４０４、４０５、４１１、４１２に挿入する際、円筒部７０１の円筒形状によって軸受け部材３０５が回転するのを防止するので、軸受け部材３０５が回転して位置合わせのために無駄な作業が発生するのを防ぎ、軸受け部材３０５をホールド部材４０４、４０５、４１１、４１２に嵌合する作業をスムースに行うことができる。
【００７３】
さらに、突起４０６はホールド部材４０４の搬送ガイド１０７の裏面から見て取付方向の手前側にあるため、操作者は軸受け部材３０５をホールド部材４０４に取付ける作業を目視しながらすることができるので、取付け作業が効率的になされる。
【００７４】
また、図８、図９、図１０では、原稿搬送ローラ１１０の先端部を搬送ガイド１０７に取付ける動作について説明したが、原稿搬送ローラ１１０の原稿搬送ローラを取付ける穴４０２付近の部分についても同様の方法で取付けられる。さらに、原稿排出ローラ１１１についても同様の方法で取付けられる。
【００７５】
以上説明したように、本発明の搬送ガイド１０７は、搬送ガイド１０７の裏面に遮光のための壁２１３，２１４および覆い２１５を追加したため、各種ローラ１０９，１１０，１１１を搬送ガイド１０７に取付ける作業スペースが狭くなった場合であっても、本発明の軸受け部材３０５をホールド部材４０４，４０５，４１１，４１２に嵌合することによって、ドライバーなどの工具を使わずにワンタッチで簡単に各種ローラ１０９，１１０，１１１を搬送ガイド１０７に取付けることができるので、ネジ止めにより取付ける場合に比較して作業効率を極めて向上させることができる。
【００７６】
また、軸受け部材３０５によれば、矢印９０１で示したようにホールド部材４０４、４０５、４１１、４１２への挿入、および各種ローラ１０９，１１０，１１１の軸の保持という一連の動作を同一の方向の作業により行うので、ネジ止めによる取付けの場合と異なり、各種ローラに対してねじれの力が作用せず、ホールド部材４０４，４０５，４１１，４１２に無理な力が加わることを防止できる。
【００７７】
【発明の効果】
以上説明してきたように、本発明によれば、光学ユニットの上蓋を搬送ガイドで兼用した場合でも、不要な外光やゴミ等が光学ユニットの中に進入を防止でき、画像読取装置の読取能力を低下するのを防止できる。
【００７８】
また、本発明によれば、搬送ガイドの裏面に壁や覆いをはり巡らし、各種ローラが取付けにくい構造となっても、各種ローラを搬送ガイドに取付けるのが容易に行える。
【図面の簡単な説明】
【図１】本発明の実施の形態の電気機器の構成を説明するための本実施の形態の電気機器の電気機器の断面図
【図２】上記実施の形態の搬送ガイドおよび光学ユニットの構成および動作を説明するための上記実施の形態の搬送ガイドおよび光学ユニットの拡大断面図
【図３】図３は、上記実施の形態の搬送ガイドおよび光学ユニットおよび搬送ローラおよびＬＥＤを取付けるためのブラケットの位置関係を説明するための搬送ガイドおよび光学ユニットの分解斜視図
【図４】上記実施の形態の搬送ガイドに原稿搬送ローラおよび原稿排出ローラがどのように取付けられるかを説明するための上記実施の形態の搬送ガイドを裏面からみた第１の状態における斜視図
【図５】上記実施の形態の搬送ガイドに原稿搬送ローラおよび原稿排出ローラがどのように取付けられるかを説明するための上記実施の形態の搬送ガイドを裏面からみた第２の状態における斜視図
【図６】上記実施の形態の搬送ガイドに覆いがどのように取付けられているか説明するための、上記実施の形態の搬送ガイドに覆いが取付けられた状態の裏面図
【図７】（ａ）  上記実施の形態の軸受け部材を説明するための上記実施の形態の軸受け部材の平面図
（ｂ）  上記実施の形態の軸受け部材を説明するための上記実施の形態の軸受け部材の正面図
（ｃ）  上記実施の形態の軸受け部材を説明するための上記実施の形態の軸受け部材の側面図
【図８】上記実施の形態の搬送ガイドに各種ローラが取付けられる工程を説明するための、上記実施の形態の原稿ガイドのホールド部材近傍の第１の状態における拡大斜視図
【図９】上記実施の形態の搬送ガイドに各種ローラが取付けられる工程を説明するための、上記実施の形態の原稿ガイドのホールド部材近傍の第２の状態における拡大斜視図
【図１０】上記実施の搬送ガイドに各種ローラが取付けられる工程を説明するための、上記実施の形態の原稿ガイドのホールド部材近傍の第３の状態における拡大斜視図
【符号の説明】
１０１  電気機器
１０２  原稿台
１０３  原稿セットガイド
１０４  画像読取装置
１０５  原稿トレイ
１０６  給紙口
１０７  搬送ガイド
１０８  原稿走行部
１０９  給紙ローラ
１１０  原稿搬送ローラ
１１１  原稿排出ローラ
１１２  カバー
１１３  原稿搬送補助ローラ
１１４  原稿排出補助ローラ
１１５  光学ユニット
２０１  ガラス部材
２０２  ＬＥＤ
２０３  ブラケット
２０５、２０７、２０９  ミラー
２１１  レンズ
２１２  光電変換ユニット
２１３、２１４、２１６，２１７  壁
２１５  覆い
３０１、３０２、３０３  開口部
３０４、４１０  軸
３０５  軸受け部材
４０１、４０２、４０３  穴
４０４，４０５、４１１，４１２  ホールド部材
４０６，４０７、４１３，４１４  突起
４０８，４０９、４１５  ガイド部
４１６，４１７  挿入穴
４１８，４１９  突起
６０１、６０２  穴
６０３，６０４  穴
７０１  円筒部
７０２  保持穴
７０３  嵌合部
７０４  開口部
７０５  連結部
【図１】
0004142796.tif 000002
【図２】
0004142796.tif 000003
【図３】
0004142796.tif 000004
【図４】
0004142796.tif 000005
【図５】
0004142796.tif 000006
【図６】
0004142796.tif 000007
【図７】
0004142796.tif 000008
【図８】
0004142796.tif 000009
【図９】
0004142796.tif 000010
【図１０】
0004142796.tif 000011